(57)【要約】【課題】収集されるデータの値が異なるだけで、編集作業、加工工程、印刷工程、は同じ場合が多く、情報の収集を含めてルーチンワークとなっている場合にも関わらず自動化できないという問題点があった。【解決手段】携帯電話や携帯情報端末のモバイル機器とマルチファンクションプリンタ等の印刷装置を移動体通信網やインターネット等の公衆回線を介して接続し、モバイル機器にあらかじめ入力された所定のデータを前記回線を通して印刷装置に送信し、あるいは、印刷装置からモバイル機器上にあらかじめ入力された所定のデータを前記回線を通して取得し、複数のモバイル機器から受信あるいは取得した同様のデータを編集し、前記編集したデータを印刷することを特徴とする。【選択図】        図１
2006056063.tif 000002
【特許請求の範囲】
【請求項１】
携帯電話や携帯情報端末等のモバイル機器とマルチファンクションプリンタ等の印刷装置を移動体通信網やインターネット等の公衆回線を介して接続する手段と、前記モバイル機器にデータを入力する手段と、前記入力されたデータを前記回線を通して印刷装置に送信する手段と、複数の前記モバイル機器から受信したデータを編集する手段と、前記編集したデータを印刷する手段を設け、複数のモバイル機器から送信されたデータを印刷装置で編集して印刷することを特徴とする情報出力装置。
【請求項２】
請求項１の情報出力装置内の印刷装置に印刷を開始する印刷指示手段を設け、前記印刷指示手段によって印刷指示によって複数のモバイル機器から送信されたデータを印刷装置で編集して印刷することを特徴とする情報出力装置。
【請求項３】
請求項１の情報出力装置内の印刷装置に時計手段と、印刷時刻を設定する手段を設け、設定された印刷時刻に複数のモバイル機器から送信されたデータを印刷装置で編集して印刷することを特徴とする情報出力装置。
【請求項４】
複数の携帯電話や携帯情報端末等のモバイル機器と移動体通信網やインターネット等の公衆回線を介して接続する手段と前記モバイル機器からデータを受信する手段と、前記受信したデータを編集する手段と、前記編集したデータを印刷する手段を設け、前記複数のモバイル機器から受信したデータを編集して印刷することを特徴とする印刷装置。
【請求項５】
請求項４の印刷装置に印刷を開始する印刷指示手段を設け、前記印刷指示手段によって印刷指示によって複数のモバイル機器から送信されたデータを印刷装置で編集して印刷することを特徴とする印刷装置。
【請求項６】
請求項４の印刷装置に時計手段と、印刷時刻を設定する手段を設け、設定された印刷時刻に複数のモバイル機器から送信されたデータを印刷装置で編集して印刷することを特徴とする印刷装置。
【請求項７】
携帯電話や携帯情報端末等のモバイル機器とマルチファンクションプリンタ等の印刷装置を移動体通信網やインターネット等の公衆回線を介して接続する手段と、前記モバイル機器にデータを入力する手段と、前記入力されたデータを印刷装置から前記回線を通して取得する手段と取得した同様のデータを編集する手段と、前記編集したデータを印刷する手段を設け、複数のモバイル機器から取得したデータを印刷装置で編集して印刷することを特徴とする情報出力装置。
【請求項８】
請求項７の情報出力装置内の印刷装置に印刷を開始する印刷指示手段を設け、前記印刷指示によって複数のモバイル機器から取得したデータを印刷装置で編集して印刷することを特徴とする情報出力装置。
【請求項９】
請求項７の情報出力装置内の印刷装置に印刷を開始する印刷指示手段を設け、前記印刷指示によって複数のモバイル機器からデータ取得し、前記データを印刷装置で編集して印刷することを特徴とする情報出力装置。
【請求項１０】
請求項７の情報出力装置内の印刷装置に時計手段と、印刷時刻を設定する手段を設け、設定された印刷時刻に複数のモバイル機器から取得したデータを印刷装置で編集して印刷することを特徴とする情報出力装置。
【請求項１１】
請求項７の情報出力装置内の印刷装置に時計手段と、印刷時刻を設定する手段を設け、設定された印刷時刻に複数のモバイル機器からデータを取得し、前記データを印刷装置で編集して印刷することを特徴とする情報出力装置。
【請求項１２】
複数の携帯電話や携帯情報端末等のモバイル機器と移動体通信網やインターネット等の公衆回線を介して接続する手段と前記モバイル機器からデータを取得する手段と、前記取得したデータを編集する手段と、前記編集したデータを印刷する手段を設け、前記複数のモバイル機器から取得したデータを編集して印刷することを特徴とする印刷装置。
【請求項１３】
請求項１２の印刷装置に印刷を開始する印刷指示手段を設け、前記印刷指示によって複数のモバイル機器から取得したデータを印刷装置で編集して印刷することを特徴とする印刷装置。
【請求項１４】
請求項１２の印刷装置に印刷を開始する印刷指示手段を設け、前記印刷指示によって複数のモバイル機器からデータを取得し、前記データを印刷装置で編集して印刷することを特徴とする印刷装置。
【請求項１５】
請求項１２の印刷装置に時計手段と、印刷時刻を設定する手段を設け、設定された印刷時刻に複数のモバイル機器からデータを取得し、前記データを印刷装置で編集して印刷することを特徴とする印刷装置。
【請求項１６】
携帯電話や携帯情報端末等のモバイル機器とコンピュータ等の情報処理装置と、マルチファンクションプリンタ等の印刷装置を移動体通信網やインターネット等の公衆回線やローカルエリアネットワーク等の構内通信回線を介して接続する手段と、前記モバイル機器にデータを入力する手段と、前記入力されたデータを前記回線を通して前記情報処理装置に送信する手段と、前記情報処理装置は複数の前記モバイル機器から受信したデータを編集する手段と、前記編集したデータを前記印刷装置に送信する手段を設け、複数のモバイル機器から情報処理装置に送信されたデータを編集して印刷装置に送信し印刷装置で印刷することを特徴とする情報出力装置。
【請求項１７】
携帯電話や携帯情報端末等のモバイル機器とコンピュータ等の情報処理装置と、マルチファンクションプリンタ等の印刷装置を移動体通信網やインターネット等の公衆回線やローカルエリアネットワーク等の構内通信回線を介して接続する手段と、前記モバイル機器にデータを入力する手段と、前記入力されたデータを前記回線を通して前記情報処理装置が取得する手段と、前記情報処理装置は複数の前記モバイル機器から取得したデータを編集する手段と、前記編集したデータを前記印刷装置に送信する手段を設け、複数のモバイル機器から情報処理装置が取得したデータを編集して印刷装置に送信し印刷装置で印刷することを特徴とする情報出力装置。
【請求項１８】
所定の印刷フォーマットデータ記憶手段を設け、モバイル機器に入力されたデータと前記印刷フォーマットデータ記憶手段に記憶された、印刷フォーマットデータ上に編集し印刷することを特徴とする請求項１〜１７いずれか記載の情報出力装置。
【請求項１９】
所定の印刷フォーマットデータを移動体通信網やインターネット等の公衆回線やローカルエリアネットワーク等の構内通信回線を介して取得する手段を設け、モバイル機器に入力されたデータと前記印刷フォーマットデータ取得手段で取得された、印刷フォーマットデータ上に編集し印刷することを特徴とする請求項１〜１７いずれか記載の情報出力装置。
【発明の詳細な説明】
【技術分野】
【０００１】
本発明は携帯電話、携帯情報端末等のモバイル機器及びマルチファンクションプリンタ等の印刷装置に関する、詳しくは、複数のモバイル機器上の情報を集めて印刷装置で印刷する技術に関する。
【０００２】
もしくはそれらの集めた情報から新たな情報を生成し、印刷する技術に関する。
【背景技術】
【０００３】
従来この種の操作を行う場合、携帯端末保持者が収集した情報を情報編集者に通報し、前記編集者が、複数の収集された複数の通報データを編集し、印刷、あるいはデータベース化したり、それをもとに新たな情報に加工したりしていた（特許文献１参照）。
【特許文献１】特開平１１−３４１１４０号公報
【発明の開示】
【発明が解決しようとする課題】
【０００４】
しかしながら、この種の作業は、収集されるデータの値が異なるだけで、編集作業、加工工程、印刷工程、は同じ場合が多く、情報の収集を含めてルーチンワークとなっている場合にも関わらず自動化できないという問題点があった。
【課題を解決するための手段】
【０００５】
携帯電話や携帯情報端末のモバイル機器とマルチファンクションプリンタ等の印刷装置を移動体通信網やインターネット等の公衆回線を介して接続する手段と、モバイル機器にあらかじめ入力された所定のデータを前記回線を通して印刷装置に送信する手段あるいは、印刷装置からモバイル機器上にあらかじめ入力された所定のデータを前記回線を通して取得する手段と、複数のモバイル機器から受信あるいは取得した同様のデータを編集する手段と、前記編集したデータを印刷する手段を設けて、情報出力装置を提供する。
【０００６】
あるいは、前記情報出力システムを実現するために、携帯電話や携帯情報端末のモバイル機器に処理プログラムを印刷装置あるいは他の情報機器からダウンロードする手段と、ダウンロードされたプログラムを、携帯電話や携帯情報端末のモバイル機器で実行する手段を設けて、情報出力装置を提供する。あるいは上記、情報出力システムを実現する印刷装置を提供する。
【発明の効果】
【０００７】
携帯電話、携帯端末と印刷装置を公衆回線を介して接続し、複数の携帯電話、携帯端末から送られるデータを印刷装置で編集して印刷することが可能となる。
【発明を実施するための最良の形態】
【０００８】
以下本発明を実施するための最良の形態を、実施例により詳しく説明する。
【実施例１】
【０００９】
図１〜図６は本発明を実施した情報出力システムを表す図で、図１はその構成図である。図１、１０１は複数の情報発信者である、携帯電話等の携帯情報端末、１０２は収集された情報を加工し印刷するマルチファンクションプリンタ等の印刷装置、１０３は、携帯電話網等の無線通信網と電話網等の有線通信網で前記１０１の携帯情報端末と１０２の印刷装置を接続する。
【００１０】
図２は本発明を実施した情報出力システムの出力例で、複数のルートセールスマンから１０１の携帯端末により１０３の通信網を介して送られる売上等の情報を１０２の印刷装置で表、すなわち売上集計表、に編集して出力した場合である。２０１〜２０４、２０６は移動するセールスマンが持つ情報、すなわちモバイル情報、で２０１は担当者を示すコード、２０２は受注した商品の種類を示すコード、２０３は受注した数量、２０４は受注条件である単価、２０６は受注条件である納期である。２０７、２０９はあらかじめ、図１、１０２の印刷装置内に持っている情報、すなわち固定情報、で２０７は各商品に対する在庫、２０９は表を作成し印刷する時のフォーマットである。２０５、２０８は２０１〜２０４、２０６の前記モバイル情報と２０７の前記固定情報から図１、１０２の印刷装置内で計算によって得られる情報、すなわち加工情報、で２０５は売上、２０８は発注量である。
【００１１】
図１、１０１の携帯端末を持つセールスマン等の情報発信者は商品の受注時や所定の時刻に図２、２０１〜２０４、２０６等の情報を図１、１０１の携帯端末に入力し、図２、１０２の印刷装置に発信する。このときの携帯端末上の入力およびアプリケーションプログラムはあらかじめ、１０２の印刷装置からダウンロードされている。発信された２０１〜２０４および２０６のモバイル情報は図１、１０３の通信網を介して図１、１０２の印刷装置が受け取り、印刷装置内の所定の記憶領域に保持される。この売上集計表を必要とするとき、オペレータが図１、１０２の印刷装置の入力キーにより売上集計表を印刷出力するの所定のオペレーションを実行すると、印刷装置内に保持されている受信済みの前記モバイル情報と、印刷装置内にあらかじめ保持されている２０７の固定情報をから計算を行い２０５，２０８の加工情報を生成し、２０９の印刷フォーマットに前記印刷データを当てはめて画像を形成し、印刷を行う。このとき、担当者コードを自動的に発生したり、単価と数量から売上を計算するのを、図１、１０１の携帯端末上の前記ダウンロードされたアプリケーションプログラムで行いその結果をモバイル情報として１０２の印刷装置に送信する方法も有効である。モバイル情報が多い場合は携帯端末上のアプリケーションプログラムで簡単なデータに加工できれば、通信コスト上有利である。
【００１２】
また、モバイル情報と固定情報から発生する新たなデータは１０２の印刷装置上で計算し発生するのが望ましい。これら、情報加工のプロセスは、携帯端末上で加工して新たな情報を発生し、印刷装置に送信する場合、携帯端末から送られたモバイル情報と、印刷装置内の固定情報から新たな情報を計算等により発生する場合、携帯端末から送られたモバイル情報から、印刷装置内の対応する固定情報を選択して出力する場合が考えられる。第一の場合は、図２、２０５の売上に相当し２０２の商品コード、２０３の数量、２０４の単価から計算で求められる、第二の場合は２０８の発注量が相当し、２０２の商品コード、２０３の数量のモバイル情報と２０７の在庫の固定情報から計算で出荷後の在庫減少を補うための発注量が得られる。また、第三の場合は２０７の在庫が相当し、２０２の商品コードから固定情報の中から在庫データが選択され使用される。この以外に純粋に固定情報のみをモバイル情報に関わら表の中に印刷することも可能なことも言うまでもない。この例は２０９のフォーマットや会社ロゴ、日付等が該当する。
【００１３】
図３は前記携帯無線端末の構成図で、３０１は携帯無線端末、３０２は無線通信部、３０３は音声出力部、３０４は表示部、３０５は操作部、３０６は音声入力部、３０７は制御部、３０８はメモリ部、３０９は内部バス、３１０はアンテナである。
【００１４】
図４は印刷装置の構成図で、４０１は印刷装置、４０２は通信部、４０３は表示部、４０４は操作部、４０５は制御部、４０６はメモリ部、４０７は画像入力部、４０８は画像発生部、４０９は印刷機構、４１０は電話線、ネットワークケーブル等の通信ケーブルである。図３、３０１の携帯無線端末を本発明の情報出力装置として使用する場合、３０８のメモリ部に本発明の動作を行うアプリケーションプログラムをダウンロードされている。このダウンロードは、図１、１０３の通信網を介して、１０２の印刷装置や、前記通信網に接続された他の情報処理装置から３１０のアンテナから３０２の無線通信部により受信され、３０７の制御部の制御によって３０８のメモリ部に格納される。このメモリ部は、通常不揮発性メモリであるフラッシュメモリと揮発性であるＲＡＭ等で構成され、前記アプリケーションプログラムはフラッシュメモリに格納される。ルートセールスマン等のオペレータは、３０５の操作部から所定のオペレーションを行い前記アプリケーションプログラムを立ち上げる。アプリケーションプログラムは前記２０１〜２０４、２０６の情報を入力できるように３０４の表示部に表示され、３０５の操作部より、営業結果を入力する。このとき２０１の担当者コードはセールスマン固有のものなのでアプリケーションプログラムによって自動的に発生するようにすることも可能である。入力されたデータは３０８のメモリ部のＲＡＭ上の所定の位置に格納される。アプリケーションプログラムでデータを加工する場合は加工後格納される。オペレータが３０５の操作部から送信動作を行うオペレーションを行うと、前記３０８のメモリ部に格納された営業データが３０２の無線通信部から３１０のアンテナを通じて１０２の印刷装置宛データとして無線通信網に放射される。これら一連のアプリケーションプログラムは３０７の制御部によって実行される。放射されたデータは、携帯電話網等の無線通信網から電話網等の有線通信網、あるいはインターネットを経て４０１の印刷装置に送られる。前記送信データは４１０の通信ケーブルを通して４０２の通信部に入力され、４０１の印刷装置に受信される。受信されたデータは４０５の制御部によって、４０６のメモリ部に格納される。複数のセールスマンが送信したデータが同様に４０６のメモリ部に格納され、メモリ上にモバイルデータのデータベースが作成される。売上表を印刷する印刷装置のオペレータは４０３の表示部に表示されたメニューから情報出力システムの使用を選択し、４０４の操作部からその実行を指示する。指示を受けた４０５の制御部は４０６のメモリ部上のプログラムを実行し、４０６のメモリ部上に格納された、前記モバイル情報と、固定情報から計算等により印刷データを生成し、印刷フォームデータとともに４０８の画像発生部に送られ、印刷画像を形成し４０９の印刷機構により印刷用紙上に印刷される。
【００１５】
図５は３０１の携帯無線端末の３０７の制御部の動作を示すフローチャートで、ステップＳ１１で情報印刷システムモードが指定されているかを判断し、されていればステップＳ１２へ移行し、されていなければ終了する。ステップＳ１２ではモバイルデータが入力されたかを判断し、入力されていれば、ステップＳ１３へ移行し、されていなければＳ１１へ移行する。ステップＳ１３では、入力されたデータをデータの種類によってＲＡＭの所定の場所に格納し、ステップＳ１４へ移行する。ステップＳ１４では送信オペレーションが指示されたかを判断し、されていればステップＳ１５に移行し、されていなければステップＳ１１に移行する。ステップＳ１５ではＲＡＭ上の所定の位置に格納されたデータを送信し終了する。
【００１６】
図６は４０１の印刷装置の４０５の制御部の動作を示すフローチャートで、ステップＳ２１で携帯端末からデータを受信したかを判断し、していればＳ２２へ移行し、していなければステップＳ２３へ移行する。ステップＳ２２では受信したデータをＲＡＭ上の所定の位置に格納し、処理を終了する。ステップＳ２３では印刷オペレーションが指示されたかを判断し、されていればステップＳ２４へ移行し、されていなければ処理を終了する。ステップＳ２４では印刷するデータに計算等の所定の加工を行い印刷データを編集、生成しステップＳ２５へ移行する。ステップＳ２５では前記印刷データから画像を発生し、印刷機構により印刷し、処理を終了する。
【００１７】
以上説明した様に、本発明によれば、収集された複数のモバイルデータを携帯端末上あるいは印刷装置で編集し最終的に必要とされる情報を画像として自動的に印刷することが可能となる。
【実施例２】
【００１８】
図７は本発明の第二の実施例を示す図で、７０１は携帯無線端末、７０２は印刷装置、１０３は図１と同様で通信網である。本実施例においては、７０２の印刷装置が７０１の各携帯端末に対してデータ取得要求を送信、これを受けた各携帯端末のアプリケーションプログラムが起動し、携帯端末上のメモリ上にあらかじめ格納されたモバイル情報を７０２の印刷装置に自動的に送信するようにしたものである。基本的なデータの例およびデータの加工の概要については第一の実施例と同様であるのでここでは説明を省略する。
【００１９】
図８は第二の実施例の携帯端末の制御部のフローチャートでステップＳ３１で情報印刷システムモードかを判断し、そうであればステップＳ３２に移行し、そうでなければステップＳ３４へ移行する。ステップＳ３２ではデータが入力されたかを判断し、そうであればステップＳ３３へ移行し、そうでなければステップＳ３１へ移行する。ステップＳ３３では入力されたデータをＲＡＭ上に格納し、終了する。ステップＳ３４では印刷装置からデータ取得コマンドが入力されたかを判断し、入力があればステップＳ３５へ移行しＲＡＭ上に格納されたデータを印刷装置に送信する。前記コマンドが入力されていなければ終了する。
【００２０】
図９は第二の実施例の印刷装置の制御部の処理を示すフローチャートでステップＳ４１で印刷オペレーションが指示されたかを判断し、指示されていればステップＳ４２は移行し、そうでなければ終了する。ステップＳ４２では一つの携帯端末にデータ取得コマンドを送信しステップＳ４３へ移行し前記携帯端末からデータを受信したかを判断し、受信していればステップＳ４４へ移行し、そうでなければステップＳ４３を繰り返す。ステップＳ４４では受信したデータをＲＡＭ上に格納し、ステップＳ４５へ移行する。ステップＳ４５では登録された全携帯端末のデータを取得したかを判断し、そうであればステップＳ４６へ移行する。そうでなければステップＳ４２に移行し次の携帯端末にデータ取得コマンドを送信する。ステップＳ４６では第一の実施例と同様にデータを編集し、ステップＳ４７で画像を形成し印刷機構で印刷用紙上に印刷する。
【００２１】
以上説明したように本発明の第二の実施例によれば印刷装置からのデータ要求に応じて自動的に携帯端末がデータを送信することにより、携帯端末側でのオペレーションなしに、リアルタイムなデータを集計して印刷することができる。
【実施例３】
【００２２】
図１０は本発明の第三の実施例の印刷装置の構成を表し、１００１は印刷装置、１００２は時計部である。その他の構成は第一の実施例および第二の実施例と同様である。本実施例では印刷装置に時計機能を設け、あらかじめ設定された時刻になると、自動的にデータの印刷オペレーションを開始させる様に作用させる。第一の実施例の構成に時計機能を付加した場合は携帯端末保持者が送信し、印刷装置のメモリ上にデータを保持した状態で、所定の時刻になると、データを編集し印刷が行われる。第二の実施例の構成に時計機能を付加した場合は所定の時刻になると印刷装置が、携帯端末にデータ取得コマンドを送信し、必要なデータを収集して印刷を行う。
【００２３】
図１１は第一の実施例の構成に時計機能を付加した場合の印刷装置１００１の制御部処理を示すフローチャートで、ステップＳ５１で携帯端末からデータを受信したかを判断し、していればＳ５２へ移行し、していなければステップＳ５３へ移行する。ステップＳ５２では受信したデータをＲＡＭ上の所定の位置に格納し、処理を終了する。ステップＳ５３では１００２の時計部をアクセスして印刷時刻になったかを判断し、されていればステップＳ５４へ移行し、されていなければ処理を終了する。ステップＳ５４では印刷するデータに計算等の所定の加工を行い印刷データを編集、生成しステップＳ５５へ移行する。ステップＳ５５では前記印刷データから画像を発生し、印刷機構により印刷し、処理を終了する。
【００２４】
図１２は第一の実施例の構成に時計機能を付加した場合の印刷装置１００１の制御部処理を示すフローチャートで、ステップＳ６１で１００２の時計部をアクセスして印刷時刻になったかを判断し、指示されていればステップＳ６２は移行し、そうでなければ終了する。ステップＳ６２では一つの携帯端末にデータ取得コマンドを送信しステップＳ６３へ移行し前記携帯端末からデータを受信したかを判断し、受信していればステップＳ６４へ移行し、そうでなければステップＳ６３を繰り返す。ステップＳ６４では受信したデータをＲＡＭ上に格納し、ステップＳ６５へ移行する。ステップＳ４５では登録された全携帯端末のデータを取得したかを判断し、そうであればステップＳ６６へ移行する。そうでなければステップＳ６２に移行し次の携帯端末にデータ取得コマンドを送信する。ステップＳ６６では第一の実施例と同様にデータを編集し、ステップＳ６７で画像を形成し印刷機構で印刷用紙上に印刷する。
【００２５】
以上説明した様に本実施例においては時計機能を印刷装置に設けることにより、所定の時刻に自動的にデータを編集し印刷することができる。
【実施例４】
【００２６】
図１３は本発明を実施した第四の実施例を示す図で１３０１は携帯端末、１３０２は印刷装置である。本実施例においては、前記実施例１〜３と同様に、印刷装置内で、複数のモバイル情報と印刷装置内の固定情報から編集されたデータをもう一度各携帯端末に送信するし、携帯端末上のアプリケーションプログラムが受信した編集データを表示部に表示し使用者が参照できる様にしたことを特徴とする。
【００２７】
図１４は第四の実施例の印刷装置の制御部の処理を示すフローチャートである。本例は第二の実施例の印刷装置が携帯端末からデータを取得する場合の例であるが、携帯端末上のアプリケーションプログラムが受信した編集データを表示部に表示し参照することができれば、第一の実施例、第三の実施例の場合であっても同じ効果が得られるのは言うまでもない。
【００２８】
ステップＳ７１で編集データを携帯端末に送信するオペレーションが指示されたかを判断し、指示されていればステップＳ７２は移行し、そうでなければ終了する。ステップＳ７２では一つの携帯端末にデータ取得コマンドを送信しステップＳ７３へ移行し前記携帯端末からデータを受信したかを判断し、受信していればステップＳ７４へ移行し、そうでなければステップＳ７３を繰り返す。ステップＳ７４では受信したデータをＲＡＭ上に格納し、ステップＳ７５へ移行する。ステップＳ７５では登録された全携帯端末のデータを取得したかを判断し、そうであればステップＳ７６へ移行する。そうでなければステップＳ７２に移行し次の携帯端末にデータ取得コマンドを送信する。ステップＳ７６では第一の実施例と同様にデータを編集し、ステップＳ７７で編集したデータを全携帯端末に送信する。このとき同時に画像を形成し印刷することももちろん可能である。
【００２９】
図１５は第四の実施例の携帯端末装置の制御部の受信した編集データを表示する際の処理を示すフローチャートで、ステップＳ８１で印刷装置から編集データを受信したかを判断し、受信していればステップＳ８２へ移行し、そうでなければステップＳ８３は移行する。ステップＳ８２では受信したことを使用者に知らせ、ステップＳ８３へ移行する。ステップＳ８３ではすでに受信した編集データがあるかを判断し、あればステップＳ８４へ移行する。なければ終了する。ステップＳ８４では受信した編集データの表示が使用者に指示されたかを判断し、指示されていればステップＳ８５へ移行し、そうでなければ終了する。ステップＳ８５では編集データを表示部に表示し、ステップＳ８６へ移行する。ステップＳ８６では表示の終了が使用者に指示されたかを判断し、支持されていれば終了し、そうでなければＳ８６で指示されるまで待つ。以上説明したように第四の実施例によれば印刷装置で各携帯端末から送られたデータと印刷装置内のデータにより作成された編集データを各携帯端末に送信し、使用者が参照することができる。
【実施例５】
【００３０】
図１６は本発明を実施した第五の実施例を示す図で、１６０１は携帯端末装置、１６０２は印刷装置、１６０４は自動販売機である。本実施例は第二の実施例の構成を自動販売機に組み込んだものである。このように本発明は、使用者が携帯し、移動することにより収集する情報ばかりでなく、自動販売機の様に複数の遠隔地で刻一刻と変化する情報を収集し必要なデータに加工し印刷する場合にも有効である。１６０４の自動販売機の売上データは定常的に接続された１６０１の携帯無線端末に送られ、１６０２の印刷装置が第二の実施例のように印刷装置のオペレータがデータの収集、印刷を指示したとき、あるいは、第三の実施例のように、時計装置により所定の時刻にデータの収集、印刷を指示した時にデータ取得要求が携帯無線端末に送信され、携帯無線端末は接続された自動販売機の売上データや、内部の商品残量のデータを印刷装置に送信し、印刷装置では、それらのデータをもとに、補充計画表や、地域担当者ごとの配送計画表、あるいは売上日報等に加工し印刷出力することができる。このように本発明は遠隔地に固定された複数の情報源からのデータを最終使用形態に加工して印刷出力するのにも有効である。
【実施例６】
【００３１】
図１７は本発明を実施した情報出力システムの第六の実施例を示し、１７０２は印刷装置、１７０４はコンピュータ等の情報処理装置、１７０５はデータベースである。他は図７と同様である。本実施例においては、前記実施例１〜５において印刷装置で行っていた携帯端末からの情報収集およびデータの編集を電話回線やインターネット等の通信網に接続されたコンピュータ等の情報処理装置で行い、印刷は同様の通信網に接続された印刷装置に編集データを送り印刷するようにし、あるいは１７０５の同様の通信網に接続されたデータベースに固定情報や編集データを保存するように構成したものである。このような構成であっても全く同様の効果が得られる。また各機器の接続は接続されていればどのような接続であっても同様の機能を実現することができる。例えば、１７０２の印刷装置、１７０４の情報処理装置は専用ケーブルでローカルに接続されていても良いし、構内ＬＡＮとのプライベートなネットワークで接続されていても良い。また１７０５のデータベースにおいても同様で、さらには情報処理装置の中の記憶資源の上にあっても何ら問題はない。
【００３２】
以上説明したように、本発明においては発明を構成する印刷装置機能の要素が情報処理装置、データベース、印刷機構のように分散していても、実現できる。
【図面の簡単な説明】
【００３３】
【図１】第一の実施例を示す図
【図２】本発明を実施した情報出力システムの出力例を示す図
【図３】携帯無線端末の構成図
【図４】は印刷装置の構成図
【図５】第一の実施例の携帯無線端末の制御部の動作を示すフローチャート
【図６】第一の実施例の印刷装置の制御部の動作を示すフローチャート
【図７】第二の実施例を示す図
【図８】第二の実施例の携帯端末の制御部のフローチャート
【図９】第二の実施例の印刷装置の制御部の処理を示すフローチャート
【図１０】第三の実施例の印刷装置の構成を示す図
【図１１】第三の実施例の印刷装置の制御部処理を示すフローチャート
【図１２】第三の実施例の印刷装置の制御部処理を示すフローチャート
【図１３】第四の実施例を示す図
【図１４】第四の実施例の印刷装置の制御部の処理を示すフローチャート
【図１５】第四の実施例の携帯端末装置の制御部の編集データを表示する処理を示すフローチャート
【図１６】第五の実施例を示す図
【図１７】第六の実施例を示す図
【符号の説明】
【００３４】
１０１  携帯情報端末
１０２  印刷装置
１０３  通信網
【図１】
2006056063.tif 000003
【図２】
2006056063.tif 000004
【図３】
2006056063.tif 000005
【図４】
2006056063.tif 000006
【図５】
2006056063.tif 000007
【図６】
2006056063.tif 000008
【図７】
2006056063.tif 000009
【図８】
2006056063.tif 000010
【図９】
2006056063.tif 000011
【図１０】
2006056063.tif 000012
【図１１】
2006056063.tif 000013
【図１２】
2006056063.tif 000014
【図１３】
2006056063.tif 000015
【図１４】
2006056063.tif 000016
【図１５】
2006056063.tif 000017
【図１６】
2006056063.tif 000018
【図１７】
2006056063.tif 000019